(57)【特許請求の範囲】
【請求項１】
屋根に設備を取り付けるための取付器具に該設備を受けるように装着される受け部材であって、
該設備が載置される上面壁と、
該上面壁から斜め下方に延びる１以上の側面片と
を備え、
該側面片は、下方に延びる側面片上部と、該側面片上部の外側で傾斜しかつ該側面片上部の傾斜方向に対して上方に傾斜した側面片下部とを有する、受け部材。
【請求項２】
前記側面片は、前記側面片下部の下端縁に形成されて下方に延びる下端部をさらに有する、請求項１に記載の受け部材。
【請求項３】
前記側面片上部は、前記受け部材と前記取付器具との相対的な回転を規制するように構成されている、請求項１または請求項２に記載の受け部材。
【請求項４】
前記上面壁には、前記設備を前記取付器具に固定するための設備締結部材を通す貫通孔が形成されており、
該上面壁は、該貫通孔の周辺領域が隆起した構造を有する、請求項１から請求項３のいずれか一項に記載の受け部材。
【請求項５】
前記上面壁は、長方形の長辺を形成する対向する第１および第２の側辺と、該長方形の短辺を形成する対向する第３および第４の側辺とを有し、
前記１以上の側面片は、第１の側面片を含み、
該上面壁の第１の側辺には、前記第１の側面片が接合されている、請求項１から請求項４のいずれか一項に記載の受け部材。
【請求項６】
前記１以上の側面片は、前記第１の側面片に対向するように前記上面壁の第２の側辺に接合されている第２の側面片をさらに含み、
該第２の側面片には、前記受け部材の外側から、前記取付器具を前記屋根に固定するための器具締結部材に至る通路が形成されている、請求項５に記載の受け部材。
【請求項７】
前記１以上の側面片は、前記上面壁の第３の側辺に接合されている第３の側面片をさらに含み、該第３の側面片は、貫通孔を有する、請求項５または請求項６に記載の受け部材。
【請求項８】
前記１以上の側面片は、該上面壁から斜め下方に延びるように前記上面壁の第４の側辺に接合されている第４の側面片をさらに含む、請求項５から請求項７のいずれか一項に記載の受け部材。
【請求項９】
前記側面片は、該側面片の下端に設けられた折返部をさらに有し、該折返部は、該側面片の表面を流下する水が該下端の先端へ到達するのを回避するための部分である、請求項１から請求項８のいずれか一項に記載の受け部材。
【請求項１０】
前記側面片は、
前記側面片下部の下端縁に形成されて下方に延びる下端部と、
該下端部の下端縁に形成された折返部と
をさらに有し、
該折返部は、該側面片の表面を流下する水が該側面片の下端の先端へ到達するのを回避するための部分である、請求項１に記載の受け部材。
【発明の詳細な説明】
【技術分野】
【０００１】
本発明は、受け部材に関し、特に、屋根に太陽光パネルやアンテナなどの設備を取り付けるための取付器具にこの設備を受けるよう装着される受け部材に関するものである。
【背景技術】
【０００２】
従来から、太陽光発電システムには太陽光パネルを屋根に設置するものがあり、その設置方法には、屋根上に固定したラック（棚）に太陽光パネルを取り付けるラック工法や取付金具を用いて太陽光パネルを屋根上に直付けする直付け工法がある。
【０００３】
ラック工法は、屋根に取り付けたラックに太陽光パネルを固定する工法であり、多くの太陽光パネルを作業性よく設置するのに適しているが、太陽光パネルとは別にラックが必要であり、重量が大きくなり、また設置に費用がかかるなどの欠点がある。他方、直付け工法では、太陽光パネルを屋根に直接固定するので、太陽光パネルを支持するラックなどの部材が不要であり、直付け工法は、ラック工法に比べて軽量化、低コスト化などの点で有利である。
【０００４】
例えば、特許文献１および特許文献２などには、取付金具を用いて屋根に太陽光パネルを直付けする方法が開示されている。
【０００５】
特許文献１に開示の取付金具は、折板屋根のハゼ部を掴むハゼつかみ部と、ハゼつかみ部に固定された受け部とを備え、受け部上に太陽光パネルの端部を締結部材と押さえ部材とにより押圧固定するようにしたものである。なお、特許文献２に開示の取付金具は、特許文献１に開示の取付金具のハゼつかみ部の代わりに一対のハゼつかみ金具を用いたものである。
【０００６】
しかし、上記のような取付金具を用いた太陽光パネルの取付構造では、水（雨水、雪解け水を含む）が取付金具の表面にかかったりその内部に浸入したりしてしまう可能性があるが、そのような表面へ水がかかったり内部へ水が浸入したりすることは、取付金具の腐食を引き起こしてしまい得る。
【０００７】
そこで、水による腐食対策として取付金具に水がかからないように水除けカバーを取付器具に装着する方法も考えられるが、この方法では、屋根に太陽光パネルを取り付ける際に、水除けカバーを装着する手間がかかる上に、受け部と水除けカバーとを１つのボルトで取付金具に固定する場合はこれらが供回りしてしまうという問題もある。
【０００８】
また、水除けカバーで取付金具の全体を覆ってしまうと、取付金具の状態が健全な状態か取り替えなどの対処が必要な状態かを外から確認できなくなる。そうであるからといって、取付金具の上側に水除けカバーを被せただけでは、水除けカバーの側端での水の回り込みや水しぶきの飛散などで取付金具に水がかかってしまうことに対処できない。
【先行技術文献】
【特許文献】
【０００９】
【特許文献１】特開２００３−９６９８６号公報
【特許文献２】特開２０１１−１４０８６１号公報
【発明の概要】
【発明が解決しようとする課題】
【００１０】
本発明は、屋根に設備を取り付けるための取付器具の水除けとして機能し、しかも、水の回り込みや水しぶきの飛散などによって取付器具に水がかかるのを抑制することができ、しかも取付器具に対する回転を防止することができる受け部材を提供することを目的とする。
【課題を解決するための手段】
【００１１】
本発明に係る受け部材は、屋根に設備を取り付けるための取付器具に該設備を受けるように装着される受け部材であって、該設備が載置される上面壁と、該上面壁から斜め下方に延びる１以上の側面片とを備え、該側面片は、下方に延びる側面片上部と該側面片上部に対して外側に傾斜した側面片下部とを有しており、そのことにより上記目的が達成される。
【００１２】
本発明の１つの実施形態では、前記側面片は、前記側面片下部の下端縁に形成されて下方に延びる下端部をさらに有していてもよい。
【００１３】
本発明の１つの実施形態では、前記側面片上部は、前記受け部材と前記取付器具との相対的な回転を規制するように構成されていてもよい。
【００１４】
本発明の１つの実施形態では、前記上面壁には、前記設備を前記取付器具に固定するための設備締結部材を通す貫通孔が形成されており、該上面壁は、該貫通孔の周辺領域が隆起した構造を有していてもよい。
【００１５】
本発明の１つの実施形態では、前記上面壁は、長方形の長辺を形成する対向する第１および第２の側辺と、該長方形の短辺を形成する対向する第３および第４の側辺とを有し、前記１以上の側面片は１つの側面片であり、該上面壁の第１の側辺には、該１つの側面片が第１の側面片として接合されていてもよい。
【００１６】
本発明の１つの実施形態では、前記上面壁の第２の側辺には、前記第１の側面片に対向するように第２の側面片が接合されており、該第２の側面片には、前記受け部材の外側から、前記取付器具を前記屋根に固定するための器具締結部材に至る通路が形成されていてもよい。
【００１７】
本発明の１つの実施形態では、前記上面壁の第３の側辺には、貫通孔を有する第３の側面片が接合されていてもよい。
【００１８】
本発明の１つの実施形態では、前記上面壁の第４の側辺には、該上面壁から斜め下方に延びるように第４の側面片が接合されていてもよい。
【００１９】
本発明の１つの実施形態では、前記側面片は、該側面片の下端に設けられた折返部をさらに有し、該折返部は、該側面片の表面を流下する水が該下端の先端へ到達するのを回避するための部分であってもよい。
【００２０】
本発明の１つの実施形態では、前記側面片は、前記側面片下部の下端縁に形成されて下方に延びる下端部と、該下端部の下側縁に形成された折返部とをさらに有し、該折返部は、該側面片の表面を流下する水が該側面片の下端の先端へ到達するのを回避するための部分であってもよい。
【発明の効果】
【００２１】
以上のように、本発明によれば、屋根に設備を取り付けるための取付器具の水除けとして機能し、しかも、水の回り込みや水しぶきの飛散などによって取付器具に水がかかるのを抑制することができ、しかも取付器具に対する回転を防止することができる受け部材を実現することができる。
【図面の簡単な説明】
【００２２】
【図１】図１は、本発明の実施形態１による受け部材の用途を説明するための図であり、図１（ａ）は、この受け部材が装着された取付器具を用いて折板屋根に取り付けられた太陽光パネルを示し、図１（ｂ）は、図１（ａ）のＡ部分を拡大して示している。
【図２】図２は、図１（ａ）のＡ部分を拡大して示す平面図であり、取付器具に装着された受け部材上に太陽光パネルのフレームが載置されている状態を示す。
【図３】図３は、図２のＡ１部分の構造を説明するための斜視図であり、図３（ａ）は、図２のＡ１部分の外観を示し、図３（ｂ）は、図２のＡ１部分を太陽光パネルを透視して示す。
【図４】図４は、図３（ｂ）に示される、取付器具、受け部材および押さえ部材が締結部材により結合された状態を具体的に示す図であり、図４（ａ）は斜視図であり、図４（ｂ）、図４（ｃ）はそれぞれ、図４（ａ）のＢ１方向、Ｃ１方向から見た受け部材などの構造を示す平面図である。
【図５】図５は、図４に示される取付器具、受け部材、押さえ部材および締結部材を分解して示す斜視図である。
【図６】図６は、本発明の実施形態１による受け部材を説明するための図であり、図６（ａ）は、この受け部材を示す斜視図、図６（ｂ）〜図６（ｄ）はそれぞれ、図６（ａ）のＢ２方向〜Ｄ２方向から見た受け部材の構造を示す平面図である。
【図７】図７は、図２のＡ２部分の構造を説明するための斜視図であり、図７（ａ）は、図２のＡ２部分の外観を示し、図７（ｂ）は、図２のＡ２部分を太陽光パネルを透視して示す。
【図８】図８は、図７（ｂ）に示される、取付器具、受け部材および押さえ部材が締結部材により結合された状態を具体的に示す図であり、図８（ａ）は斜視図であり、図８（ｂ）、図８（ｃ）はそれぞれ、図８（ａ）のＢ１方向、Ｃ１方向から見た受け部材などの構造を示す平面図である。
【図９】図９は、図８に示される取付器具、受け部材、押さえ部材および締結部材を分解して示す斜視図である。
【図１０】図１０は、図６に示す実施形態１の受け部材が装着された取付器具を用いて太陽光パネルを屋根に設置する手順を説明するための図であり、図１０（ａ）は、太陽光パネルを設置する折板屋根を示し、図１０（ｂ）は、折板屋根のハゼ部に受け部材が装着された取付器具を固定した状態を示している。
【図１１】図１１は、図６に示す実施形態１の受け部材が装着された取付器具を用いて太陽光パネルを屋根に設置する手順を説明するための図であり、図１１（ａ）は、ハゼ部に固定した取付器具の受け部材上に太陽光パネルを配置した状態を示し、図１１（ｂ）は、取付器具上に配置した太陽光パネルを押さえ部材で押圧固定する様子を示している。
【図１２】図１２は、本発明の実施形態１の変形例による受け部材を説明するための図であり、図１２（ａ）は、この受け部材を示す斜視図、図１２（ｂ）〜図１２（ｄ）はそれぞれ、図１２（ａ）のＢ２方向〜Ｄ２方向から見た受け部材の構造を示す平面図である。
【図１３】図１３は、本発明の実施形態２による受け部材を説明するための図であり、図１３（ａ）は、この受け部材が装着された取付器具が、図２のＡ１部分での太陽光パネルの固定に用いられる状態を示す斜視図であり、図１３（ｂ）、図１３（ｃ）はそれぞれ、図１３（ａ）のＢ１方向、Ｃ１方向から見た受け部材などの構造を示す平面図である。
【図１４】図１４は、図１３に示される取付器具、受け部材、押さえ部材および締結部材を分解して示す斜視図である。
【図１５】図１５は、図１３および図１４に示される取付器具を説明するための図であり、図１５（ａ）、図１５（ｂ）、図１５（ｃ）は、図１４のＡ３方向、Ｂ３方向、Ｃ３方向から見た一方の挟持片の構造を示し、図１５（ｄ）、図１５（ｅ）、図１５（ｆ）は、図１４のＡ３方向、Ｂ３方向、Ｄ３方向から見た他方の挟持片の構造を示している。
【図１６】図１６は、本発明の実施形態２による受け部材を説明するための図であり、図１６（ａ）は、この受け部材を示す斜視図、図１６（ｂ）〜図１６（ｆ）はそれぞれ、図１６（ａ）のＢ４方向〜Ｆ４方向から見た受け部材の構造を示す平面図である。
【図１７】図１７は、本発明の実施形態２による受け部材を説明するための図であり、図１７（ａ）は、この受け部材が装着された取付器具が、図２のＡ２部分で太陽光パネルの固定に用いられる状態を示す斜視図であり、図１７（ｂ）、図１７（ｃ）はそれぞれ、図１７（ａ）のＢ１方向、Ｃ１方向から見た受け部材などの構造を示す平面図である。
【図１８】図１８は、図１７に示される取付器具、受け部材、押さえ部材および締結部材を分解して示す斜視図である。
【図１９】図１９は、図１６に示す実施形態２の受け部材が装着された取付器具を用いて太陽光パネルを屋根に設置する手順を説明するための図であり、図１９（ａ）は、太陽光パネルを設置する折板屋根を示し、図１９（ｂ）は、折板屋根のハゼ部に受け部材が装着された取付器具を固定した状態を示している。
【図２０】図２０は、図１６に示す実施形態２の受け部材が装着された取付器具を用いて太陽光パネルを屋根に設置する手順を説明するための図であり、図２０（ａ）は、ハゼ部に固定した取付器具の受け部材上に太陽光パネルを配置した状態を示し、図２０（ｂ）は、取付器具上に配置した太陽光パネルを押さえ部材で押圧固定する様子を示している。
【図２１】図２１は、本発明の受け部材のその他の例１を説明するための図であり、図２１（ａ）は、受け部材を示す斜視図、図２１（ｂ）〜図２１（ｅ）はそれぞれ、図２１（ａ）のＢ２方向〜Ｅ２方向から見た受け部材の構造を示す平面図、図２１（ｆ）は、図２１（ｃ）のＢ部分の拡大図である。
【図２２】図２２は、本発明の受け部材の他の例２を説明するための図であり、図２２（ａ）は、受け部材を示す斜視図、図２２（ｂ）〜図２２（ｅ）はそれぞれ、図２２（ａ）のＢ２方向〜Ｅ２方向から見た受け部材の構造を示す平面図、図２２（ｆ）は、図２２（ｆ）は図２２（ｃ）のＣ部分の拡大図である。
【発明を実施するための形態】
【００２３】
以下、本発明の実施形態について図面を参照しながら説明する。
【００２４】
本発明の受け部材は、屋根に設備を取り付けるための取付器具に装着されるものであり、屋根に取り付けられる設備を取付器具上で受け、しかも取付器具に水（雨水や雪解け水などを含む）がかからないようにする働きを持つものである。
【００２５】
このように、本発明の受け部材は、屋根に設備を取り付けるための取付器具の水除けとしての働きを持つ受け部材であることから、少なくとも以下の構成を有している。
【００２６】
受け部材は、設備が載置される上面壁と、上面壁から斜め下方に延びる側面片とを備えている。ここで、側面片は、受け部材上に浸入した水を流下させて落下させることにより水切りを行う部分であり、側面片は１つに限定されず、例えば、上面壁の周縁に沿って複数の側面片が形成されていてもよい。
【００２７】
側面片は、少なくとも、下方に延びる側面片上部と、該側面片上部に対して外側に傾斜した側面片下部とを有している。ここで下方に延びるとは、受け部材の上面壁に対して垂直な方向（上面壁の法線方向）だけではなく、上面壁の法線方向に対して所定の範囲内の角度傾斜した方向をも意図している。
【００２８】
このような構成の受け部材では、受け部材の上面壁が屋根に固定された取付器具の上面上に位置するように、かつ受け部材の側面片が取付器具の側面に沿って延びるように、受け部材を取付器具に装着すると、取付器具の上方あるいは斜め上方から取付器具に向かう雨水などの水は、受け部材により遮られるため、水が取付器具に直接かかるのを回避でき、受け部材の上面壁あるいは側面片上に落ちた水は、側面片の表面を流下して側面片の下端縁から落下することとなる。
【００２９】
また、受け部材を取付器具に装着した状態で、下方に延びる側面片上部の内面が取付器具の側面に当接するように受け部材を構成することにより、受け部材を取付器具に装着したとき、受け部材が取付器具に対して所定の向きに位置決めされることとなる。また、この状態では、受け部材と取付器具との相対的な回転が規制される。
【００３０】
しかも、側面片下部が側面片上部に対して外側に傾斜しているので、側面片の表面を流下する水は、側面片下部により取付器具からより離れた位置まで導かれて落下することとなり、落下する水が取付器具にかかりにくくすることができる。
【００３１】
従って、本発明の受け部材の上面壁の構造は設備が載置されるものであればどのような構造でもよく、また受け部材の側面片は、側面片下部が側面片上部に対して斜め下方に延びる構造であればどのような構造でもよい。
【００３２】
例えば、側面片下部の下端縁には下方に延びる下端部が形成されてもよい。ここで、側面片下部の下端縁とは、側面片下部の下端側の縁を意図している。この場合、側面片下部の表面を流下してその下端縁から落下する水が側面片下部の裏面側に回り込むのを、側面片下部の下端縁の下方に延びる下端部によって抑制することができる。
【００３３】
さらに、側面片の下端には、側面片の表面を流下する水が下端の先端へ到達するのを回避するための折返部が設けられていてもよい。ここで、側面片の下端とは、側面片の下側に位置する端の部分を意図している。側面片の下端の先端とは、側面片の下側に位置する端の部分の縁を意図している。このような折返部を有する側面片の構造は、受け部材が、側面片の下端の先端に耐腐食性のない金属材料が露出した構造となっている場合には、特に有効である。以下はその理由である。
【００３４】
受け部材が、側面片の下端の先端に耐腐食性のない金属材料が露出した構造となっていると、側面片の下端の先端が水と触れてしまうと、金属材料の露出部分が腐食してサビが発生する場合がある。この場合、受け部材から流れ落ちる水にそのサビ成分が含まれることになり、そのサビ成分を含んだ水が受け部材から流れ落ちることによって、受け部材の下側に位置する取付部材や折板屋根に跡が付いたり取付部材や折板屋根の腐食が促進されたりしてしまうという弊害が生じてしまうこととなる。
【００３５】
それに対して、側面片の下端に、側面片の表面を流下する水が下端の先端へ到達するのを回避するための折返部が設けられていると、受け部材の金属材料が露出した部分には雨水などの水が到達しなくなり、受け部材におけるサビの発生を避けることができるとともに、金属材料の露出部分からの腐食に起因する取付部材や折板屋根での弊害を回避できる。
【００３６】
ここで、設備は、屋根上に設置されるものであればどのようなものでもよく、具体的な設備の例としては、太陽光パネルやアンテナなどが挙げられる。また、屋根の構造や屋根に設備を取り付ける方法は特に限定されるものではなく、屋根の構造は取付器具を取付可能な構造であればよく、設備の取付方法は、屋根に取り付けた取付器具に設備を固定する方法であればどのようなものでもよい。
【００３７】
以下、このような受け部材の用途の一例として、太陽光パネルをハゼ式折板屋根に直付けするのに用いられる取付器具に受け部材を装着する場合を挙げて、本発明の実施形態１による受け部材を具体的に説明する。
【００３８】
（実施形態１）
図１は、本発明の実施形態１による受け部材の用途を説明するための図であり、図１（ａ）は、この受け部材が装着された取付器具を用いて折板屋根に取り付けられた太陽光パネルを示し、図１（ｂ）は、図１（ａ）のＡ部分を拡大して示している。
【００３９】
図１（ａ）に示す太陽光発電システム１００ａは、太陽光の光電変換により電力を生成するものであり、図１（ａ）に示すように、ハゼ式折板屋根Ｒ上に行列状に配置された複数の太陽光パネルＳを有する。
【００４０】
ハゼ式折板屋根Ｒは、図１（ｂ）に示すように、金属薄板の機械加工により形成した断面略Ｖ字型の長尺屋根材Ｌｍの辺同士を『ハゼ締め』とよばれるカシメ加工により接合してなる構造を有する。なお、以下の説明では、ハゼ式折板屋根Ｒは折板屋根Ｒという。
【００４１】
この折板屋根Ｒの表面は、線状凹部Ｐａあるいは線状凸部Ｐｂが繰り返し配置された波板形状となっており、折板屋根Ｒは、線状凹部Ｐａが雨水や雪解け水などの水の流路となるように傾斜させて設置されている。この折板屋根Ｒの線状凸部Ｐｂの上面には、カシメ加工で形成された強度のある線状接合部（以下ハゼ部という。）Ｒｃが形成されている。
【００４２】
図２は、図１（ａ）のＡ部分を拡大して示す平面図であり、取付器具に装着された受け部材上に太陽光パネルのフレームが載置されている状態を示す。
【００４３】
図２に示すように、太陽光パネルは、行列状に配列された複数の太陽電池セル（図示せず）を含む長方形のパネル本体Ｓｐｂと、このパネル本体Ｓｐｂを収容して保持する保持フレームＳｐｆ（以下、単にフレームともいう。）とを有する。
【００４４】
まず、屋根の端部（棟側あるいは軒側の端部）以外の部分で、折板屋根Ｒに太陽光パネルＳのフレームＳｐｆを固定する構造について説明する。
【００４５】
図３は、図２のＡ１部分の構造を説明するための斜視図であり、図３（ａ）は、図２のＡ１部分の外観を示し、図３（ｂ）は、図２のＡ１部分を太陽光パネルを透視して示す。
【００４６】
図３（ｂ）に示すように、折板屋根Ｒのハゼ部Ｒｃには取付器具１０が取り付けられている。取付器具１０は、一対の挟持片１０ａおよび１０ｂを有し、これらの挟持片１０ａおよび１０ｂによりハゼ部Ｒｃを挟持することにより折板屋根Ｒに固着されている。
【００４７】
取付器具１０には受け部材１００が取付器具１０の上面を覆うように装着され、取付器具１０に装着された受け部材１００上には、太陽光パネルのフレームＳｐｆが載置されている。ここで、取付器具１０には締結部材としてボルトＢｔおよび下側ナットＮｔｂが装着されており、このボルトＢｔおよび下側ナットＮｔｂの締付により取付器具１０の一対の挟持片１０ａおよび１０ｂがハゼ部Ｒｃを挟持するとともに、受け部材１００が取付器具１０に固定されている。
【００４８】
また、このボルトＢｔには押さえ部材２０ａが、屋根Ｒの傾斜方向に隣接する２つの太陽光パネルのフレームＳｐｆ上でこれらのフレームに跨るように装着され、さらに、ボルトＢｔの先端には上側ナットＮｔｕが押さえ部材２０ａ上に位置するよう装着されている。上側ナットＮｔｕとボルトＢｔとの締付により、押さえ部材２０ａと受け部材１００との間で隣接する太陽光パネルＳのフレームＳｐｆが固定されている。なお、上側ナットＮｔｕはワッシャー一体型のナットであるが、図３ではワッシャー部分は省略している。
【００４９】
以下、取付器具、受け部材および押さえ部材についてさらに詳しく説明する。
【００５０】
図４は、図３（ｂ）に示される、取付器具、受け部材および押さえ部材が締結部材により結合された状態を具体的に示す図であり、図４（ａ）は斜視図であり、図４（ｂ）、図４（ｃ）はそれぞれ、図４（ａ）のＢ１方向、Ｃ１方向から見た受け部材などの構造を示す平面図である。図５は、図４に示される取付器具、受け部材、押さえ部材および締結部材を分解して示す斜視図である。
【００５１】
〔取付器具１０〕
まず、取付器具１０について詳述する。
【００５２】
上述したように、取付器具１０を構成する一対の挟持片１０ａ、１０ｂはそれぞれ、図５などに示すように、ボルトＢｔを装着するための上面部１１ａ、１１ｂと、ハゼ部Ｒｃを押圧するための押圧片を構成する底部１３ａ、１３ｂと、上面部１１ａ、１１ｂと底面部１３ａ、１３ｂとを連結する側面部１２ａ、１２ｂとを有する。ここで、一方の挟持片１０ａの上面部１１ａにはボルトＢｔを挿入するためのボルト挿入長孔１１ａ１が形成されており、他方の挟持片１０ｂの上面部１１ｂにはボルトＢｔを挿入するためのボルト挿入丸孔１１ｂ１が形成されている。
【００５３】
このような構成の取付器具１０は、一方の挟持片１０ａの上面部１１ａと他方の挟持片１０ｂの上面部１１ｂとを、図４（ｃ）および図５に示すように上面部１１ａが上面部１１ｂの上側に位置するように重ね合わせて配置し、両挟持片１０ａ、１０ｂをその底部１３ａ、１３ｂの間にハゼ部Ｒｃが挿入されるように位置合わせした状態で、両挟持片１０ａ、１０ｂの上面部１１ａおよび１１ｂを、ボルトＢｔおよび下側ナットＮｔｂでワッシャーＷｂおよびスプリングワッシャーＳｗを介して締め付けることにより、一対の挟持片１０a、１０ｂがハゼ部Ｒｃを挟持するように構成されている。
【００５４】
また、この取付器具１０では、予め他方の挟持片１０ｂの上面部１１ｂのボルト挿入丸孔１１ｂ１にボルトＢｔを挿入した状態で、上面部１１ｂに配置された樹脂製クリップＣｐによりボルトＢｔが他方の挟持片１０ｂの上面部１１ｂに仮止めされている。このようにボルトＢｔを他方の挟持片１０ｂの上面部１１ｂに仮止めしておくことにより、このボルトＢｔにさらに一方の挟持片１０ａを装着した状態で、ボルトＢｔを脱落させることなく一対の挟持片１０ａ、１０ｂの底部１３ａ、１３ｂの間を広げることができ、ハゼ部を一対の挟持片１０ａ、１０ｂの底部１３ａ、１３ｂの間に楽に挿入することができる。
【００５５】
なお、このような構造の取付器具１０を構成する一対の挟持片１０ａ、１０ｂはそれぞれ、例えば、鋼板のプレス加工により作製することができる。
【００５６】
〔受け部材１００〕
次に、受け部材１００について詳述する。
【００５７】
図６は、本発明の実施形態１による受け部材を説明するための図であり、図６（ａ）は、この受け部材を示す斜視図、図６（ｂ）〜図６（ｄ）はそれぞれ、図６（ａ）のＢ２方向〜Ｄ２方向から見た受け部材の構造を示す平面図である。
【００５８】
この受け部材１００は、図３（ｂ）に示すように、屋根Ｒに太陽光パネルＳを取り付けるための取付器具１０に太陽光パネルＳを受けるように装着されるものであって、この受け部材１００は、水に濡れることによる取付器具１０の腐食を抑制するための構成を有している。
【００５９】
この実施形態１の受け部材１００は、太陽光パネルＳが載置される長方形形状の上面壁１１０と、上面壁１１０の対向する側辺から斜め下方に延びる一対の側面片１２０ａおよび１２０ｂとを備えている。
【００６０】
ここで、上面壁１１０には、ボルトＢｔを通すボルト挿入孔１１１が形成されている。なお、上面壁１１０のボルト挿入孔１１１の周囲には隆起部を形成して、この隆起部により上面壁１１０を流れる水がボルト挿入孔１１１に入らないようにしてもよい。また、この隆起部は、太陽光パネルを受け部材１００上に配置するときに太陽光パネルのフレームの端面をこの隆起部に当接させて位置決めできるように構成してもよい。
【００６１】
一方の側面片１２０ａは、斜め下方に延びる側面片上部１２１ａと、側面片上部１２１ａに対して外側に傾斜した側面片下部１２２ａとを有する。側面片上部１２１ａは、受け部材１００と一対の挟持片１０ａおよび１０ｂとを、一対の挟持片１０ａおよび１０ｂがハゼ部Ｒｃを挟持するようにボルトＢｔおよびナットＮｔｂで締め付けた状態で、一方の挟持片１０ａの側面部１２ａに沿って延びるように構成されている。これにより、受け部材１００を取付器具１０に装着した状態では、側面片上部１２１ａの裏面が取付器具１０の側面に当接する。これにより受け部材１００と取付器具１０との相対的な回転が規制され、さらに取付器具１０に受け部材１００をボルトＢｔが受け部材１００の上面壁１１０のボルト挿入孔１１１を通るように被せたときには、取付器具１０に対して受け部材１００の向きが自動的に決められる。ただし、側面片上部１２１ａは、受け部材１００が取付器具１０上に配置された状態で、側面片上部１２１ａの裏面が取付器具１０の側面に当接する程度に取付器具１０に近接して配置されるものである必要はなく、受け部材１００と取付器具１０との相対的な回転を規制する働きがなくてもよい。また、側面片下部１２２ａは、側面片上部１２１ａに対して外側に傾斜しているので、側面片の表面を流下する水を取付器具からより離れた位置に導いてから落下させることができる。
【００６２】
他方の側面片１２０ｂも一方の側面片１２０ａと同様に、下方に延びる側面片上部１２１ｂと、側面片上部１２１ｂに対して外側に傾斜した側面片下部１２２ｂとを有する。他方の側面片１２０ｂの側面片上部１２１ｂおよび側面片下部１２２ｂは、一方の側面片１２０ａの側面片上部１２１ａおよび側面片下部１２２ａと同一の機能を持つ。なお、この実施形態１では、受け部材１００として、上面壁１１０の両側に側面片を有するものを示したが、受け部材は、上面壁の片側にのみ側面片を有するものでもよく、その場合にも腐食対策や受け部材と取付器具との位置決めや相対的な回転の防止に効果がある。
【００６３】
なお、このような構造の受け部材１００は、例えば、鋼板のプレス加工により作製され、カラー塗料やメッキなどの塗装が施されている。
【００６４】
具体的には受け部材１００は、カラー鋼板などの材料で構成することができる。このように受け部材１００をカラー鋼板で構成した場合は、受け部材１００の重量を軽くできることから、受け部材１００の側面に沿った方向の寸法を取付器具１０に対して十分長くすることで、取付器具１０により一層水がかかりにくくすることができる。
【００６５】
また、受け部材１００と取付器具１０とは、現場で、取付器具と受け部材とボルトＢｔおよび下側ナットＮｔｂとを組み立てる作業が不要となるように、工場から現場に搬送する際には、ボルトＢｔ、下側ナットＮｔｂ、ワッシャーＷｂおよびスプリングワッシャＳｗにより仮止めされ、さらにボルトＢｔは樹脂製クリップＣｐにより取付器具１０の他の挟持片１０ｂの上面部１１ｂに仮止めされた状態となっている。このため、現場では、仮止めされたボルトＢｔと下側ナットＮｔｂとを緩めるだけで、ボルトＢｔと他の挟持片１０ｂの上面部１１ｂとの相対移動を回避しつつ、一対の挟持片１０ａ、１０ｂの間を広げてこれらの間にハゼ部Ｒｃを挿入することができる。
【００６６】
〔押さえ部材２０ａ〕
次に、押さえ部材２０ａについて詳述する。
【００６７】
押さえ部材２０ａは、図４（ａ）〜図４（ｃ）、図５に示すように、平板状本体２１ａと、平板状本体２１ａのフレームを押圧する面に形成された一対の線状突起２２ａおよび２３ａとを有する。これらの線状突起２２ａおよび２３ａは、平板状本体２１ａの長手方向の中心軸に沿ってこの中心軸に対称となるように配置されている。これらの線状突起２２ａおよび２３ａは、隣接する太陽光パネルＳのフレームＳｐｆに跨るようにこれらのフレーム上に押さえ部材２０ａを配置したとき、隣接する太陽光パネルＳのフレームの間に一定の間隔を確保するスペーサとしての働きがある。
【００６８】
例えば、図４に示すように、折板屋根Ｒの傾斜方向に沿って隣接する太陽光パネルＳのフレームＳｐｆに跨るようにこれらのフレーム上に押さえ部材２０ａを配置したとき、押さえ部材２０ａの一方の線状突起２２ａの側面が、上側（棟側）の太陽光パネルＳのフレームＳｐｆの側面に当接し、押さえ部材２０ａの他方の線状突起２３ａの側面が、下側（軒側）の太陽光パネルＳのフレームＳｐｆの側面に当接する。
【００６９】
なお、このような構造の押さえ部材２０ａは、例えば、鋼板のプレス加工により作製することができる。
【００７０】
次に、屋根の端部（棟側あるいは軒側の端部）で、折板屋根Ｒに太陽光パネルＳのフレームＳｐｆを固定する構造について説明する。
【００７１】
図７は、図２のＡ２部分の構造を説明するための斜視図であり、図７（ａ）は、図２のＡ２部分の外観を示し、図７（ｂ）は、図２のＡ２部分を太陽光パネルを透視して示す。
【００７２】
屋根の端部（棟側または軒側の端部）で太陽光パネルＳのフレームＳｐｆを取付器具１０に固定する場合は、屋根の端部以外の部分で太陽光パネルＳのフレームＳｐｆを取付器具１０に固定する場合とは異なり、フレームＳｐｆを取付器具１０に押さえつける押さえ部材として、屋根の端部以外の部分で隣接する太陽光パネルＳのフレームに跨るように配置される押さえ部材２０ａに代わる断面逆Ｌ字型の押さえ部材２０ｂが用いられる。
【００７３】
具体的には、取付器具１０には受け部材１００が取付器具１０の上面を覆うように装着され、取付器具１０に装着された受け部材１００上には、太陽光パネルＳのフレームＳｐｆが載置されている。ここで、取付器具１０には締結部材としてボルトＢｔおよび下側ナットＮｔｂが装着されており、このボルトＢｔおよび下側ナットＮｔｂの締付により取付器具１０の一対の挟持片１０ａおよび１０ｂがハゼ部Ｒｃを挟持するとともに、受け部材１００が取付器具１０に固定されている。
【００７４】
また、このボルトＢｔには押さえ部材２０ｂが、屋根Ｒの側端に沿って位置する太陽光パネルＳのフレームＳｐｆを押えるように装着され、さらに、ボルトＢｔの先端には上側ナットＮｔｕが押さえ部材２０ｂ上に位置するよう装着されている。上側ナットＮｔｕとボルトＢｔとの締付により、押さえ部材２０ｂと受け部材１００との間で太陽光パネルＳのフレームＳｐｆが固定されている。なお、上側ナットＮｔｕはワッシャ一体型のナットであるが、図７ではワッシャー部分は省略している。
【００７５】
ここで、屋根の端部での太陽光パネルＳの取付に用いられる取付器具および受け部材は、図４および図５を用いて説明した屋根の端部以外の部分での太陽光パネルＳの取付に用いられるものと同一であるので、以下、押さえ部材について詳しく説明する。
【００７６】
図８は、図７（ｂ）に示される、取付器具、受け部材および押さえ部材が締結部材により結合された状態を具体的に示す図であり、図８（ａ）は斜視図であり、図８（ｂ）、図８（ｃ）はそれぞれ、図８（ａ）のＢ１方向、Ｃ１方向から見た受け部材などの構造を示す平面図である。図９は、図８に示される取付器具、受け部材、押さえ部材および締結部材を分解して示す斜視図である。
【００７７】
図８および図９に示されるように、屋根の端部で太陽光パネルＳを取付器具１０を用いて屋根に取り付ける場合、取付器具１０および受け部材１００は、屋根の端部以外の部分で太陽光パネルＳを取付器具１０を用いて屋根に取り付ける場合と全く同じものが用いられる。
【００７８】
押さえ部材２０ｂは、図８（ａ）〜図８（ｃ）、図９に示すように、長方形形状の板状上面部２１ｂと、板状上面部２１ｂの長手方向の側辺から下方に延びる板状側面部２２ｂと、板状上面部２１ｂのフレームを押圧する面に板状上面部２１ｂの長手方向に平行に形成された線状突起２３ｂとを有する。板状側面部２２ｂは太陽光パネルＳのフレームの厚さに相当する高さを有する。これによりボルトＢｔおよび下側ナットＮｔｂをワッシャーＷｂおよびスプリングワッシャーＳｗを介して締結したときに、板状上面部２１ｂの一側端のみフレームに当接する押さえ部材２０ｂの板状上面部２１ｂを太陽光パネルＳの表面に平行に保持しつつ太陽光パネルＳのフレームを取付器具１０に固定することができる。
【００７９】
この線状突起２３ｂは、屋根の側端側（棟側あるいは軒側）に位置する太陽光パネルＳのフレーム上に押さえ部材２０ｂを配置したとき、太陽光パネルＳのフレームＳｐｆの側端に当接して太陽光パネルＳを位置決めする働きがある。
【００８０】
なお、板状上面部２１ｂには、ボルトＢｔを挿入するためのボルト挿入孔２４ｂが形成されている。
【００８１】
次に、取付器具１０、受け部材１００、押さえ部材２０ａ、２０ｂを用いて折板屋根Ｒに太陽光パネルＳを設置する方法を簡単に説明する。
【００８２】
図１０および図１１は、図６に示す実施形態１の受け部材が装着された取付器具を用いて太陽光パネルを屋根に設置する手順を説明するための図である。図１０（ａ）は、太陽光パネルを設置する折板屋根を示し、図１０（ｂ）は、折板屋根のハゼ部に受け部材が装着された取付器具を固定した状態を示し、図１１（ａ）は、ハゼ部に固定した取付器具の受け部材上に太陽光パネルを配置した状態を示し、図１１（ｂ）は、取付器具上に配置した太陽光パネルを押さえ部材で押圧固定する様子を示している。
【００８３】
例えば、図１０（ａ）に示す折板屋根Ｒ上に太陽光パネルＳを設置する場合、作業者は、取付器具１０に受け部材１００が装着された状態で現場に持ち込まれた取付器具１０のボルトＢｔおよび下側ナットＮｔｂを緩めて、図１０（ｂ）に示すように、折板屋根Ｒの所定位置に取付器具１０の一対の挟持片１０ａ、１０ｂの間にハゼ部Ｒｃが挿入されるように取付器具１０を配置する。その後、作業者は、ボルトＢｔおよび下側ナットＮｔｂを締め付けて取付器具１０を折板屋根Ｒのハゼ部Ｒｃに固定する。
【００８４】
このようにして折板屋根Ｒの太陽光パネルＳを設置すべき位置に合わせて取付器具１０を折板屋根Ｒのハゼ部Ｒｃに固定した後、折板屋根Ｒの上側（棟側）あるいは下側（軒側）から順に太陽光パネルＳを取付器具１０に固定する。
【００８５】
例えば、作業者は、図１１（ａ）に示すように、受け部材１００上に太陽光パネルＳのフレームを配置する。
【００８６】
その後、例えば、図２のＡ１部分（折板屋根Ｒの端部以外の部分）では、作業者は、図１１（ｂ）に示すように押さえ部材２０ａをそのボルト挿入孔２４ａにボルトＢｔが挿入されるように隣接する太陽光パネルＳのフレームＳｐｆ上に配置し、ボルトＢｔにワッシャー一体の上側ナットＮｔｕを装着して締め付ける。これにより隣接する太陽光パネルＳのフレームＳｐｆが押さえ部材２０ａにより取付器具１０に固定される。
【００８７】
なお、図２のＡ２部分（折板屋根Ｒの端部）では、作業者は、押さえ部材２０ａに代えて押さえ部材２０ｂをそのボルト挿入孔２４ｂにボルトＢｔが挿入されるように１つの太陽光パネルＳのフレームＳｐｆ上に配置する。このとき、板状上面部２１の線状突起２３ｂが形成されている側部下面をフレームＳｐｆに載せ、板状側面部２２ｂの下端を受け部材１００の上面壁１１０に当接させた状態で、ボルトＢｔに装着した上側ナットＮｔｕを締め付ける。これにより端部に位置する太陽光パネルＳのフレームＳｐｆが押さえ部材２０ｂにより取付器具１０に固定される。
【００８８】
このような構成の実施形態１による受け部材１００では、太陽光パネルＳが載置される上面壁１１０と、上面壁１１０から斜め下方に延びる一対の側面片１２０ａ、１２０ｂとを備えている。
【００８９】
このため、受け部材１００の上面壁１１０が折板屋根Ｒに固定された取付器具１０の上面上に位置し、受け部材１００の側面片１２０ａおよび１２０ｂが取付器具１０の側面に沿って延びるように受け部材１００を取付器具１０に装着すると、隣接する太陽光パネルＳのフレームの間から取付器具１０に向かう雨水などの水は、受け部材１００により遮られるため、雨水などが取付器具１０に直接かかるのを回避できる。
【００９０】
また、側面片１２０ａおよび１２０ｂはそれぞれ、側面片上部１２１ａ、１２１ｂと側面片下部１２２ａ、１２２ｂとを有し、受け部材を取付器具に装着したときに受け部材の側面片上部１２１ａ、１２１ｂの内面が取付器具の側面に当接するようになっているので、屋根に固定された取付器具に対して受け部材が相対的に回転するのを側面片により阻止できる。しかも、側面片下部１２２ａ、１２２ｂが側面片上部１２１ａ、１２１ｂに対して外側に傾斜しているので、側面片の表面を流下する水を、側面片下部１２２ａ、１２２ｂにより取付器具からより離れた位置に導いてから落下させることができる。これにより側面片１２０ａおよび１２０ｂから落下する水が取付器具１０にかかりにくくすることができる。
【００９１】
また、この実施形態１の受け部材１００では、受け部材の側面片上部１２１ａ、１２１ｂも上面壁１１０に対して若干外側に傾斜しているので、受け部材１００を鋼板のプレス加工などにより形成したときに型枠から取り出しやすくなっている。また、このように受け部材１００ではその側面片上部１２１ａ、１２１ｂが上面壁１１０に対して下側ほど外側に広がった構造となっていることから、受け部材１００を複数重ねて保管したり搬送したりすることも可能である。
【００９２】
なお、上記実施形態１では、受け部材１００の側面片１２０ａ、１２０ｂは、側面片上部１２１ａ、１２１ｂと、側面片上部１２１ａ、１２１ｂに対して外側に広がるように傾斜させた側面片下部１２２ａ、１２２ｂとを有しているが、受け部材１００の側面片１２０ａ、１２０ｂはこのような構造に限定されるものではなく、受け部材１００の側面片下部１２２ａ、１２２ｂの下端縁に下方に延びる下端部が形成された受け部材１０１でもよく、以下このような構造の受け部材１０１について実施形態１の変形例として簡単に説明する。
【００９３】
（実施形態１の変形例）
図１２は、本発明の実施形態１の変形例による受け部材を説明するための図であり、図１２（ａ）は、この受け部材を示す斜視図、図１２（ｂ）〜図１２（ｄ）はそれぞれ、図１２（ａ）のＢ２方向〜Ｄ２方向から見た受け部材の構造を示す平面図である。
【００９４】
この受け部材１０１は、実施形態１の受け部材１００と同様に、折板屋根Ｒに太陽光パネルＳを取り付けるための取付器具１０の腐食対策として取付器具１０に装着されるものである。
【００９５】
この実施形態１の変形例による受け部材１０１は、太陽光パネルＳが載置される長方形形状の上面壁１１０と、上面壁１１０の対向する側辺から斜め下方に延びる一対の側面片１２０ｃおよび１２０ｄとを備えている。
【００９６】
ここで、一方の側面片１２０ｃは、下方に延びる側面片上部１２１ｃと、側面片上部１２１ｃに対して外側に傾斜した側面片下部１２２ｃと、側面片下部１２２ｃの下端縁から下方に延びる下端部１２３ｃとを有する。
【００９７】
他方の側面片１２０ｄも一方の側面片１２０ｃと同様に、下方に延びる側面片上部１２１ｄと、側面片上部１２１ｄに対して外側に傾斜した側面片下部１２２ｄと、側面片下部１２２ｄの下端縁から下方に延びる下端部１２３ｄとを有する。
【００９８】
なお、側面片上部１２１ｃ、１２１ｄおよび側面片下部１２２ｃ、１２２ｄは、実施形態１の受け部材１００における側面片上部１２１ａ、１２１ｂおよび側面片下部１２２ａ、１２２ｂと同じものである。
【００９９】
このような構成の受け部材１０１では、側面片１２０ｃ、１２０ｄの側面片上部１２１ｃ、１２１ｄに対して外側に広がるように傾斜させた側面片下部１２２ｃ、１２２ｄの下端縁に、下方に延びる下端部１２３ｃ、１２３ｄを形成したので、側面片１２０ｃおよび１２０ｄの表面を流下してその下端縁から落下する水が、側面片１２０ｃおよび１２０ｄの裏面側に回り込むのを抑制することができ、これにより、より一層側面片１２０ｃおよび１２０ｄから落下する水が取付器具１０にかかりにくくすることができ、取付器具１０の腐食をより一層抑制することができる。
【０１００】
さらに、実施形態１で説明した受け部材１００あるいはその変形例として説明した受け部材１０１はいずれも、上面壁１１０の両側に同一構造の側面片が形成されたものであるが、受け部材の構造はこのようなものに限定されず、上面壁の両側に形成された側面片の形状が異なるものであってもよく、以下実施形態２として、上面壁の両側に形成された側面片の形状が異なる受け部材の一例を具体的に説明する。
【０１０１】
（実施形態２）
図１３は、本発明の実施形態２による受け部材を説明するための図であり、図１３（ａ）は、この受け部材が装着された取付器具が、図２のＡ１部分での太陽光パネルの固定に用いられる状態を示す斜視図であり、図１３（ｂ）、図１３（ｃ）はそれぞれ、図１３（ａ）のＢ１方向、Ｃ１方向から見た受け部材などの構造を示す平面図である。図１４は、図１３に示される取付器具、受け部材、樹脂製クリップ、押さえ部材および締結部材を分解して示す斜視図である。
【０１０２】
この実施形態２の取付器具３０は、実施形態１の取付器具１０と同様に折板屋根上での太陽光パネルの取付に用いられる取付器具であるが、太陽光パネルＳの取付強度が高くなるように実施形態１の取付器具１０に比べて機械的強度を高めたものであり、取付器具１０とは異なる構造を有している。
【０１０３】
従って、この取付器具３０に装着する受け部材２００も、実施形態１の取付器具１０に装着する受け部材１００に比べて機械的強度を高めた構造を有している。さらに、取付器具３０に装着する押さえ部材４０ａ（折板屋根Ｒの端部以外の箇所で用いられる押さえ部材）および押さえ部材４０ｂ（折板屋根Ｒの端部で用いられる押さえ部材）も、実施形態１の対応する押さえ部材２０ａおよび押さえ部材２０ｂに比べて機械的強度を高めた構造を有する。
【０１０４】
以下、この実施形態２で、太陽光パネルＳを折板屋根Ｒに取り付けるのに用いる取付器具、受け部材、押さえ部材および締結部材を具体的に説明する。
【０１０５】
〔取付器具３０〕
まず、取付器具３０について詳述する。
【０１０６】
図１５は、取付器具３０を説明するための図であり、図１５（ａ）〜図１５（ｃ）は、図１４のＡ３方向、Ｂ３方向、Ｃ３方向から見た一方の挟持片の構造を示し、図１５（ｄ）〜図１５（ｆ）は、図１４のＡ３方向、Ｂ３方向、Ｄ３方向から見た他方の挟持片の構造を示している。
【０１０７】
取付器具３０は、図３（ｂ）に示す取付器具１０と同様に、折板屋根Ｒのハゼ部Ｒｃに取り付けられ、太陽光パネルＳが固定されるものである。取付器具３０には、図１３、図１４に示すように、取付器具３０をハゼ部Ｒｃに取り付けるための取付ボルトＢｔａおよび取付ナットＮｔａと、太陽光パネルＳを取付器具３０に固定するための固定ボルトＢｔｆおよび固定ナットＮｔｆとが装着可能に構成されている。ここで、固定ナットＮｔｆはワッシャー一体型のナットである。
【０１０８】
取付器具３０は、一対の挟持片３０ａおよび３０ｂを有し、これらの挟持片３０ａおよび３０ｂによりハゼ部Ｒｃを挟持することにより折板屋根Ｒに固着される。
【０１０９】
ここで、一方の挟持片３０ａは、図１３〜図１５（特に図１５（ａ）〜図１５（ｃ））に示されるように、固定ボルトＢｔｆを装着するための上面部３１ａと、ハゼ部Ｒｃを押さえる押さえ部３２ａ１を含む側面部３２ａと、折板屋根Ｒに当接する底面部３３ａとを有し、上面部３１ａと底面部３３ａとが側面部３２ａにつながった一体構造となっている。ここで、上面部３１ａには固定ボルトＢｔｆを挿入するボルト挿入孔３１ａ１が形成されている。側面部３２ａには取付ボルトＢｔａを挿入するボルト挿入孔３２ａ２が形成されている。
【０１１０】
また、他方の挟持片３０ｂも、一方の挟持片３０ａと同様に、図１３〜図１５（特に図１５（ｄ）〜図１５（ｆ））に示されるように、固定ボルトＢｔｆを装着するための上面部３１ｂと、ハゼ部Ｒｃを押さえる押さえ部３２ｂ１を含む側面部３２ｂと、折板屋根Ｒに当接する底面部３３ｂとを有し、上面部３１ｂと底面部３３ｂとが側面部３２ｂにつながった一体構造となっている。ここで、他方の挟持片３０ｂの上面部３１ｂには、その側縁からその側面部３２ｂに垂直な方向に延びる一対の補強片３１ｂ１が形成されている。一方の挟持片３０ａと他方の挟持片３０ｂとにより取付器具３０が組み立てられたとき、他方の挟持片３０ｂの一対の補強片３１ｂ１が一方の挟持片３０ａの上面部３１ａの下側に位置し、一対の補強片３１ｂ１の間には固定ボルトＢｔｆが挿入されるようにボルト挿入スペース３１ｂ２が形成されている。また、側面部３２ｂには取付ボルトＢｔａを挿入するボルト挿入孔３２ｂ２が形成されている。
【０１１１】
このように取付器具３０は、一方の挟持片３０ａの上面部３１ａの下側に他方の挟持片３０ｂの上面部３１ｂの補強片３１ｂ１が入り込み、かつ両挟持片３０ａ、３０ｂの側面部３２ａ、３２ｂの押さえ部３２ａ１、３２ｂ１がハゼ部Ｒｃに当接するように両挟持片３０ａ、３０ｂを対向させて配置し、両挟持片３０ａ、３０ｂの側面部３２ａおよび３２ｂを取付ボルトＢｔａおよび取付ナットＮｔａで締め付けることにより、一対の挟持片３０a、３０ｂがハゼ部Ｒｃを挟持するように構成されている。
【０１１２】
このような構造の取付器具３０には受け部材２００が取付器具３０の上面を覆うように装着され、取付器具３０に装着された受け部材２００上には、太陽光パネルＳのフレームＳｐｆが載置される。
【０１１３】
なお、このような構造の取付器具３０を構成する一対の挟持片３０ａ、３０ｂはそれぞれ、例えば、鋼板のプレス加工により作製することができる。
【０１１４】
〔受け部材２００〕
次に、受け部材２００について詳述する。
【０１１５】
図１６は、本発明の実施形態２による受け部材を説明するための図であり、図１６（ａ）は、この受け部材を示す斜視図、図１６（ｂ）〜図１６（ｆ）はそれぞれ、図１６（ａ）のＢ４方向〜Ｆ４方向から見た受け部材の構造を示す平面図である。
【０１１６】
この受け部材２００は、図３（ｂ）に示す実施形態１の受け部材１００と同様に、折板屋根Ｒに太陽光パネルＳを取り付けるための取付器具３０の腐食対策として取付器具３０に装着されるものである。この受け部材２００は、実施形態１の受け部材１００に比べて機械的強度を高めたものであり、例えば、実施形態１の受け部材１００を構成する鋼板に比べて分厚い鋼板を用いたものである。
【０１１７】
この実施形態２の受け部材２００は、太陽光パネルＳが載置される長方形形状の上面壁２１０を有し、上面壁２１０は、長方形の長辺を形成する対向する第１、第２の側辺Ｅｄ１、Ｅｄ２と、長方形の短辺を形成する対向する第３、第４の側辺Ｅｄ３、Ｅｄ４とを含む。なお、ここでは、受け部材２００の上面壁２１０の形状は長方形形状としているが、上面壁２１０の形状は長方形形状に限定されるものではなく、例えば、その他の多角形形状であってもよい。
【０１１８】
受け部材２００は、上面壁２１０の第１、第２の側辺Ｅｄ１、Ｅｄ２から延びる第１、第２の側面片２２０ａ、２２０ｂと、上面壁２１０の第３、第４の側辺Ｅｄ３、Ｅｄ４から延びる第３、第４の側面片２２０ｃ、２２０ｄとを有する。ただし、受け部材２００の上面壁の側辺から延びる側面片としては少なくとも以下に説明する第１の側面片２２０ａがあればよい。
【０１１９】
ここで、受け部材２００の上面壁２１０には、太陽光パネルＳを取付器具３０に固定するための固定ボルトＢｔｆを通す貫通孔２１１が形成されており、上面壁２１０の貫通孔２１１の周囲には隆起部２１２が形成されている。ただし、この隆起部２１２は必ずしも必要なものではない。
【０１２０】
第１の側面片２２０ａは、下方に延びる側面片上部２２１ａと、側面片上部２２１ａに対して傾斜した側面片下部２２２ａとを有する。側面片上部２２１ａは、上面壁２１０に対して垂直な方向に延びており、受け部材２００が取付器具３０上に配置された状態では、側面片上部２２１ａの内面が取付器具３０の側面に当接することにより、受け部材２００と取付器具３０との相対的な回転が規制される。ただし、側面片上部２２１ａは、受け部材２００が取付器具３０上に配置された状態で、側面片上部２２１ａの内面が取付器具３０の側面に当接する程度に取付器具３０に近接して配置されるものである必要はなく、受け部材２００と取付器具３０との相対的な回転を規制する働きがなくてもよい。側面片下部２２２ａは、側面片上部２２１ａに対して外側に傾斜しており、側面片下部２２２ａの下側ほど取付器具３０から離れるようになっている。なお、側面片下部２２２ａの下端縁には下方に延びる下端部が形成されていてもよい。
【０１２１】
第２の側面片２２０ｂは、上面壁２１０に対して外側に傾斜しており、側面片下部２２０ｂの下側ほど取付器具３０から離れるようになっている。この第２の側面片２２０ｂの下端中央部には、受け部材２００の外側から取付器具３０を折板屋根Ｒに固定するための取付ナットＮｔａに至る通路Ｔｎが形成されるように上側に湾曲した湾曲部２２１ｂが形成されている。このような湾曲部２２１ｂを側面片２２０ｂに形成することにより、側面片２２０ｂを、取付器具３０の取付ボルトＢｔａが装着される位置より下側まで延ばすことができ、側面片２２０ｂから落下する水が取付器具３０により一層かかりにくくすることができる。ただし、第２の側面片２２０ｂには必ずしも通路は形成されていなくてもよい。
【０１２２】
第３の側面片２２０ｃは、上面壁２１０の第３の側辺Ｅｄ３の中央部分から斜め下方に延びるように形成されており、第３の側面片２２０ｃの中央部には貫通孔２２１ｃが形成されている。ただし、第３の側面片２２０ｃには必ずしも貫通孔２２１ｃが形成されていなくてもよい。
【０１２３】
第４の側面片２２０ｄは、上面壁２１０の第４の側辺Ｅｄ４から斜め下方に延びるように形成されている。
【０１２４】
このような構成の受け部材２００が取付器具３０に装着されて取付器具３０が折板屋根Ｒに取付られたとき、受け部材２００の第１、第２の側面片２２０ａ、２２０ｂが折板屋根Ｒの傾斜方向に実質的に平行となり、受け部材２００の第３の側面片２２０ｃが取付器具３０に対して折板屋根Ｒの高い方（棟側）に位置し、受け部材２００の第４の側面片２２０ｄが取付器具３０に対して折板屋根Ｒの低い方（軒側）に位置することとなる。
【０１２５】
なお、このような構造の受け部材２００は、例えば、鋼板のプレス加工により作製され、メッキなどの塗装が施されている。ただし、受け部材２００はこのように作製されたものに限定されない。
【０１２６】
また、受け部材２００と取付器具３０とは、実施形態１の受け部材１００と取付器具１０と同様に、現場で、取付器具と、受け部材と、取付ボルトＢｔａおよび取付ナットＮｔａと、固定ボルトＢｔｆとを組み立てる作業が不要となるように、工場から現場に搬送する際には、一対の挟持片３０ａおよび３０ｂがこれらに固定ボルトＢｔｆが装着された状態で、取付ボルトＢｔａおよび取付ナットＮｔａとで仮止めされ、さらに、固定ボルトＢｔｆには受け部材２００が樹脂製クリップ部材Ｃｐにより仮止めされている。このため、現場では、仮止めされた取付ボルトＢｔａと取付ナットＮｔａとを緩めるだけで、一対の挟持片３０ａ、３０ｂの間にハゼ部Ｒｃを挿入することができる。
【０１２７】
〔押さえ部材４０ａ、４０ｂ〕
次に、この取付器具３０に対して用いられる押さえ部材４０ａおよび４０ｂについて詳述する。
【０１２８】
まず、図２のＡ１部分（折板屋根Ｒの端部以外の部分）で取付器具３０に太陽光パネルＳを固定するのに用いられる押さえ部材４０ａを説明する。
【０１２９】
この押さえ部材４０ａは、図１３〜図１４に示すように、略長方形形状の平板状本体４１ａと、平板状本体４１ａの長手方向の両端側に形成されたスペーサ片４２ａとを有している。ただし、平板状本体４１ａの形状は略長方形形状に限定されず、円形や楕円、さらに他の多角形などの形状を有していてもよい。スペーサ片４２ａは、折板屋根Ｒの傾斜方向に隣接する太陽光パネルＳのフレームＳｐｆに跨るようにこれらのフレーム上に押さえ部材４０ａを配置したとき、隣接する太陽光パネルＳのフレームの間にスペーサ片の幅に相当する一定の間隔を確保するものである。また、平板状本体４１ａの中央には、固定ボルトＢｔｆを挿入するためのボルト挿入孔４４ａが形成されており、また、平板状本体４１ａには、短辺側の側辺に沿って直線状隆起部４３ａが形成されており、これにより平板状本体４１ａが補強されている。
【０１３０】
次に、図２のＡ２部分（折板屋根Ｒの端部）で取付器具３０に太陽光パネルＳを固定するのに用いられる押さえ部材４０ｂを、図１７および図１８を用いて説明する。
【０１３１】
図１７は、本発明の実施形態２による受け部材を取付器具および押さえ部材とともに示す図であり、図１７（ａ）は、この受け部材が装着された取付器具が、図２のＡ２部分で太陽光パネルの固定に用いられる状態を示す斜視図であり、図１７（ｂ）、図１７（ｃ）はそれぞれ、図１７（ａ）のＢ１方向、Ｃ１方向から見た受け部材などの構造を示す平面図である。図１８は、図１７に示される取付器具、受け部材、押さえ部材および締結部材を分解して示す斜視図である。
【０１３２】
この押さえ部材４０ｂは、図１７〜図１８に示すように、略長方形形状の平板状本体４１ｂと、板状上面部４１ｂの長手方向に沿った一方の側辺から下方に延びる板状側面部４５ｂと、平板状本体４１ｂの長手方向の両端側に形成された当接片４２ｂとを有している。当接片４２ｂは、折板屋根Ｒの下側端に位置する太陽光パネルＳのフレーム上に押さえ部材４０ｂを配置したとき、太陽光パネルＳのフレームＳｐｆの下側端（軒側端）に当接して太陽光パネルＳを位置決めする働きがある。また、平板状本体４１ｂの中央には、固定ボルトＢｔｆを挿入するためのボルト挿入孔４４ｂが形成されている。また、平板状本体４１ｂには、短辺側の側辺に沿って直線状隆起部４３ｂが形成されており、これにより平板状本体４１ｂが補強されている。板状側面部４５ｂには、下方に延びる側辺に沿って直線状隆起部４６ｂが形成されており、これにより板状側面部４５ｂが補強されている。
【０１３３】
次に、取付器具３０、受け部材２００、押さえ部材４０ａ、４０ｂを用いて折板屋根Ｒに太陽光パネルＳを設置する方法を、図１９および図２０を用いて簡単に説明する。
【０１３４】
図１９および図２０は、図１６に示す実施形態２の受け部材が装着された取付器具を用いて太陽光パネルを屋根に設置する手順を説明するための図である。図１９（ａ）は、太陽光パネルを設置する折板屋根を示し、図１９（ｂ）は、折板屋根のハゼ部に受け部材が装着された取付器具を固定した状態を示し、図２０（ａ）は、ハゼ部に固定した取付器具の受け部材上に太陽光パネルを配置した状態を示し、図２０（ｂ）は、取付器具上に配置した太陽光パネルを押さえ部材で押圧固定する様子を示している。
【０１３５】
例えば、図１９（ａ）に示す折板屋根Ｒ上に太陽光パネルＳを設置する場合、作業者は、取付器具３０に受け部材２００が装着された状態で現場に持ち込まれた取付器具３０の取付ボルトＢｔａおよび取付ナットＮｔａを緩めて、図１９（ｂ）に示すように、折板屋根Ｒの所定位置に取付器具３０の一対の挟持片３０ａ、３０ｂの間にハゼ部Ｒｃが挿入されるように取付器具３０を配置する。その後、作業者は、取付ボルトＢｔａおよび取付ナットＮｔａを締め付けて取付器具３０を折板屋根Ｒのハゼ部Ｒｃに固定する。
【０１３６】
このようにして折板屋根Ｒの太陽光パネルＳを設置すべき位置に合わせて取付器具３０を折板屋根Ｒのハゼ部Ｒｃに固定した後、折板屋根Ｒの上側（棟側）あるいは下側（軒側）から順に太陽光パネルＳを取付器具３０に固定する。
【０１３７】
例えば、作業者は、図２０（ａ）に示すように、受け部材２００上に太陽光パネルＳのフレームを配置する。
【０１３８】
その後、例えば、図２のＡ１部分（折板屋根Ｒの端部以外の部分）では、作業者は、図２０（ｂ）に示すように押さえ部材４０ａをそのボルト挿入孔４４ａに固定ボルトＢｔｆが挿入されるように隣接する太陽光パネルＳのフレームＳｐｆ上に配置し、固定ボルトＢｔｆにワッシャー一体型の固定ナットＮｔｆを装着して締め付ける。これにより隣接する太陽光パネルＳのフレームＳｐｆが押さえ部材４０ａにより取付器具３０に固定される。
【０１３９】
なお、図２のＡ２部分（折板屋根Ｒの端部）では、作業者は、押さえ部材４０ａに代えて押さえ部材４０ｂをそのボルト挿入孔４４ｂに固定ボルトＢｔｆが挿入されるように１つの太陽光パネルＳのフレームＳｐｆ上に配置する。このとき、板状上面部４１ｂの、板状側面部４５ｂとは反対側の側部をフレームＳｐｆに載せ、板状側面部４５ｂの下端を受け部材２００の上面壁２１０に当接させた状態で、固定ボルトＢｔｆにワッシャー一体型の固定ナットＮｔｆを締め付ける。これにより屋根の端部（例えば軒側の端部）に位置する太陽光パネルＳのフレームＳｐｆが押さえ部材４０ｂにより取付器具３０に固定される。
【０１４０】
このような構成の本発明の実施形態２では、受け部材２００の上面壁２１０が折板屋根Ｒに固定された取付器具３０の上面上に位置し、受け部材２００の側面片２２０ａおよび２２０ｂが取付器具３０の側面に沿って折板屋根Ｒの傾斜方向に延びるように受け部材２００を取付器具３０に装着すると、隣接する太陽光パネルＳのフレームの間から取付器具３０に向かう雨水などの水は、受け部材２００により遮られるため、雨水などが取付器具３０に直接かかるのを回避できる。
【０１４１】
また、折板屋根Ｒの傾斜方向に延びる第１の側面片２２０ａは、下方に延びる側面片上部２２１ａと側面片下部２２２ａとを有し、受け部材を取付器具に装着したときに受け部材の側面片上部２２１ａの内面が取付器具の側面に当接するようになっているので、受け部材が取付器具に対して所定の向きに位置決めされ、取付器具に対する受け部材の相対的な回転が阻止されることとなる。しかも、側面片下部２２２ａが側面片上部２２１ａに対して外側に傾斜しているので、第１の側面片２２０ａの表面を流下する水を、側面片下部２２２ａにより取付器具からより離れた位置に導いてから落下させることができる。
【０１４２】
また、上面壁２１０には、太陽光パネルＳを取付器具３０に固定するための固定ボルトＢｔｆを通すボルト挿入孔２１１の周囲には隆起部２１２が形成されているので、固定ボルトＢｔｆに装着された樹脂製クリップＣｐと受け部材２００の上面壁２１０との間に隙間ができ、樹脂製クリップＣｐと受け部材２００の上面壁２１０との間をストロー現象によって水が浸入するのを阻止できる。これにより受け部材２００の上面壁２１０に形成されたボルト挿入孔２１１から取付器具３０に水が浸入するのを回避できる。また、受け部材２００の上面壁２１０の隆起部２１２は、上面壁２１０上に太陽光パネルＳのフレームＳｐｆを載置するときに、フレームＳｐｆを位置決めするための当接部として用いることができる。
【０１４３】
また、第１の側面片２２０ａに対向する第２の側面片２２０ｂの下端中央部には、受け部材２００の外側から取付器具３０を折板屋根Ｒに固定するための取付ナットＮｔａに至る通路Ｔｎが形成されるように湾曲部２２１ｂが形成されているので、第２の側面片２２０ｂの下端を取付ボルトＢｔａの下側まで下側に延ばしても、この取付ボルトＢｔａに装着された取付ナットＮｔａに工具を差し込む際に第２の側面片２２０ｂが邪魔になることはない。
【０１４４】
また、上面壁２１０の折板屋根Ｒの傾斜方向に直交する方向に沿った側辺にも、対向するように第３の側面片２２０ｃおよび第４の側面片２２０ｄが形成されている。第３の側面片２２０ｃには貫通孔２２１ｃが形成されているので、受け部材２００のめっき処理や塗装処理などでは、貫通孔２２１ｃは、線状部材を引っ掛けて受け部材２００をめっき槽や塗装液の浴槽などに浸漬するのに用いることができる。さらに、貫通孔２２１ｃは、太陽光パネルＳを取付器具３０上に取り付けた状態で、太陽光パネルＳからの配線を束ねて取り付けるのに用いることができる。また、受け部材２００では、折板屋根Ｒの傾斜方向の下側に位置する部分に第４の側面片２２０ｄが設けられているので、折板屋根Ｒの傾斜方向の下側に位置する部分から落下する水の回り込みを抑制し、さらに受け部材２００の最も下側に位置する部分からの水の落下位置を取付器具３０から離すことができる。
【０１４５】
これにより受け部材２００から落下する水が取付器具３０にかかりにくくすることができる。
【０１４６】
なお、上記実施形態１では、取付器具１０にカラー鋼板などで構成された軽量な受け部材１００を装着し、実施形態２では、取付器具１０に比べて機械的強度を高めた構造の取付器具３０に、実施形態１の受け部材１００に比べて機械的強度を高めた分厚い受け部材２００を装着する場合について説明したが、折板屋根Ｒに取り付ける太陽光パネルＳに必要な取付強度などによっては、取付器具１０に、分厚い受け部材２００を装着したり、取付器具１０に比べて機械的強度を高めた構造の取付器具３０に、カラー鋼板などで構成された軽量な受け部材１００を装着したりすることも可能である。
【０１４７】
また、実施形態１の取付器具１０に用いられる軽量な押さえ部材２０ａ、２０ｂを、実施形態１の取付器具１０に比べて機械的強度を高めた実施形態２の取付器具３０に用いてもよく、あるいは実施形態１の取付器具１０に比べて機械的強度を高めた取付器具３０に用いられる分厚い押さえ部材４０ａ、４０ｂを、実施形態１の取付器具１０に用いてもよい。
【０１４８】
さらに、実施形態１では、折板屋根Ｒの端部以外の部分での太陽光パネルの固定に図５に示す押さえ部材２０ａを用い、折板屋根Ｒの端部での太陽光パネルの固定に図９に示す押さえ部材２０ｂを用い、実施形態２では、折板屋根Ｒの端部以外の部分での太陽光パネルの固定に図１４に示す押さえ部材４０ａを用い、折板屋根Ｒの端部での太陽光パネルの固定に図１８に示す押さえ部材４０ｂを用いる場合を示したが、各実施形態で用いる押さえ部材は上記各実施形態で示したものに限定されない。
【０１４９】
押さえ部材の構造は、太陽光パネルのフレームの側縁部の構造に適合したものであるので、フレームの側縁部の構造によっては、押さえ部材としては上記各実施形態で示した押さえ部材とは全く構造の異なったものが用いられる。
【０１５０】
（受け部材のその他の例）
以下、受け部材のその他の例について説明する。
【０１５１】
実施形態１で説明した受け部材１００、実施形態１の変形例で説明した受け部材１０１、実施形態２で説明した受け部材２００には、その材料鋼板として耐腐食性のある鋼板を用いたものも耐腐食性のない鋼板を用いたものもある。耐腐食性のない鋼板が用いられている受け部材に対しては、外気や雨水などによる腐食から保護するための腐食対策を施すようにしてもよい。
【０１５２】
例えば、ステンレス鋼板は耐腐食性のある鋼板であり、ステンレス鋼板を用いて受け部材を製造する場合、その材料自体に耐腐食性があるので、通常受け部材には腐食対策を施さない。これに対し、鉄鋼板は耐腐食性のない鋼板であり、鉄鋼板を用いて受け部材を製造する場合、受け部材が耐腐食性を有するようにするために、受け部材に腐食対策を施すようにしてもよい。
【０１５３】
鉄鋼板を用いた耐腐食性を有する受け部材の作製方法では、定型寸法の鉄鋼板からプレス加工により受け部材が切り出され、その後、受け部材の表面全体に耐腐食性被膜を形成するための塗装やめっきなどの処理が個々の受け部材に施される。これにより、受け部材の全面が耐腐食性被膜で覆われることとなる。
【０１５４】
なお、カラー鋼板やめっき鋼板は耐腐食性のある鋼板であるが、これらの鋼板からプレス加工などで受け部材を切り出した場合、受け部材の切断面には金属材料が露出することとなる。通常、カラー鋼板やめっき鋼板の材料は鉄などの耐腐食性のない金属材料であるので、受け部材の切断面には耐腐食性のない金属材料が露出することとなる。
【０１５５】
この場合、受け部材の切断面から腐食が進むのを回避するため、鉄鋼板から切り出された個々の受け部材の切断面には耐腐食性被膜でコーティングするなどの処理が施される。
【０１５６】
ところが、個々の受け部材の切断面を耐腐食性被膜でコーティングするのは手間がかかるので、受け部材の切断面は金属材料が露出したままにしておき、具体的には、カラー鋼板からプレス加工により受け部材を切り出した後、個々の受け部材の切断面を耐腐食性被膜でコーティングする工程におけるコーティングは行わずに、このコーティングに代えて受け部材を、プレス加工による受け部材の切断面には水がかからないような構造とする方がより望ましい場合がある。ただし、受け部材の切断面に水がかからないような構造とした場合にも、個々の受け部材の切断面を耐腐食性被膜でコーティングすることは、外気にさらされる環境に置かれる受け部材の腐食対策として有効であることは言うまでもない。
【０１５７】
以下このような構造を有する受け部材の例を本発明の受け部材の他の例１として説明する。
【０１５８】
図２１は、本発明の受け部材の他の例１を説明するための図であり、図２１（ａ）は、受け部材を示す斜視図、図２１（ｂ）〜図２１（ｅ）はそれぞれ、図２１（ａ）のＢ２方向〜Ｅ２方向から見た受け部材の構造を示す平面図、図２１（ｆ）は、図２１（ｃ）のＢ部分の拡大図である。
【０１５９】
図２１に示す受け部材１０２は、実施形態１の受け部材１００において、一対の側面片１２０ａおよび１２０ｂに代わる一対の側面片１２０ｅおよび１２０ｆを備えたものである。
【０１６０】
ここで、一方の側面片１２０ｅは、側面片上部１２１ｅと、側面片下部１２２ｅと、折返部１２３ｅとを有する。側面片上部１２１ｅおよび側面片下部１２２ｅは、実施形態１の受け部材１００における側面片上部１２１ａおよび側面片下部１２２ａと同一のものである。この側面片１２０ｅは、側面片下部１２２ｅの下端縁に折返部１２３ｅが形成されている点で実施形態１の受け部材１００の側面片１２０ａと異なっている。この折返部１２３ｅは、側面片１２０ｅを流下する水Ｗが側面片１２０ｅの下端の先端１２２ｅ１へ到達するのを回避するための部分である。
【０１６１】
側面片１２０ｅの折返部１２３ｅは、実施形態１の受け部材１００の側面片１２０ａの下端を延長し、延長した部分を、図２１（ｃ）のＢ部分に示すように、下に凸の湾曲形状が形成されるようにカールさせることにより形成した部分である。側面片１２０ｅの下端の先端１２２ｅ１は、折返部１２３ｅの最も低い部位１２３ｅ１よりも高さＸ１だけ高い位置に位置している。ただし、折返部１２３ｅが下に凸の湾曲形状を有するものであれば、つまり、折返部１２３ｅが側面片１２０ｅの下端で局所的に低くなっていれば、側面片１２０ｅの下端の先端１２２ｅ１は、折返部１２３ｅの最も低い部位１２３ｅ１よりも低い位置に位置していてもよい。なぜなら、折返部１２３ｅが側面片１２０ｅの下端で局所的に低くなっていれば、側面片１２０ｅの表面を流下する水は、重力の作用で、折返部１２３ｅを通過して側面片１２０ｅの下端の先端１２２ｅ１に到達することはないからである。
【０１６２】
他方の側面片１２０ｆも一方の側面片１２０ｅと同じ構造を有する。従って、側面片１２０ｆの側面片上部１２１ｆ、側面片下部１２２ｆおよび下端部１２３ｆはそれぞれ、側面片１２０ｅの側面片上部１２１ｅ、側面片下部１２２ｅおよび下端部１２３ｅと同じ構造を有する。この側面片１２０ｆは、側面片下部１２２ｆの下端縁に折返部１２３ｆが形成されている点で実施形態１の受け部材１００の側面片１２０ｂと異なっている。側面片１２０ｆの下端の先端１２２ｆ１は、折返部１２３ｆの最も低い部位１２３ｆ１よりもＸ１だけ高い位置に位置している。
【０１６３】
このような構成の受け部材１０２では、実施形態１の受け部材１００の構成に加えて、側面片１２０ｅ、１２０ｆの下端には、側面片１２０ｅ、１２０ｆの表面を流下する水Ｗが下端の先端１２２ｅ１、１２２ｆ１へ到達するのを回避するための折返部１２３ｅ、１２３ｆが設けられているので、実施形態１の効果に加えて以下の効果が得られる。
【０１６４】
側面片１２０ｅ、１２０ｆの下端に折返部１２３ｅ、１２３ｆを設けたことにより、側面片１２０ｅ、１２０ｆの下端には、折返部１２３ｅ、１２３ｆによる局所的に低い部分が形成され、この部分が、水を落下させることにより水切りを行う部分として機能する。
【０１６５】
このため、側面片１２０ｅ、１２０ｆの表面を流下する水は、図２１（ｆ）に矢印Ｙ１で示すように、重力の作用で折返部１２３ｅ、１２３ｆから落下することとなり、折返部１２３ｅ、１２３ｆを通過して側面片１２０ｅ、１２０ｆの下端の先端１２２ｅ１、１２２ｆ１に到達することはない。従って、受け部材１０２が、プレス加工による切断面となる側面片１２０ｅ、１２０ｆの下端の先端１２２ｅ１、１２２ｆ１に金属材料が露出した構造となっていても、側面片１２０ｅ、１２０ｆの下端の先端１２２ｅ１、１２２ｆ１に雨水などの水が到達するのを回避できることから、受け部材１０２の金属材料が露出した部分からの腐食を抑制できる。その結果、受け部材に折返部１２３ｅ、１２３ｆが設けられていない場合には、受け部材の金属材料が露出した部分が腐食してサビが発生し、受け部材からその下方の部材へ流れ落ちる水にそのサビ成分が含まれてしまい、そのサビ成分を含んだ水が受け部材から流れ落ちることによって受け部材の下側に位置する部材に跡が付いたりこの部材の腐食が促進されたりしてしまうという弊害が生じてしまうのに対して、受け部材に折返部１２３ｅ、１２３ｆが設けられていると、上述のように受け部材１０２の金属材料が露出した部分からの腐食を抑制できるので、受け部材に折返部１２３ｅ、１２３ｆが設けられていない場合に生じる上記弊害を回避できる。
【０１６６】
なお、本発明の受け部材の他の例では、折返部１２３ｅ、１２３ｆの構造は、受け部材１００（実施形態１）の側面片１２０ａ、１２０ｂの下端を延長し、延長した部分を図２１（ｃ）のＢ部分に示すようにカールさせた構造としているが、折返部の構造はこれに限定されるものではない。受け部材の側面片の折返部は、例えば、受け部材１００（実施形態１）の側面片１２０ａ、１２０ｂの下端を延長し、延長した部分を１８０度折り返したものでもよい。
【０１６７】
一例として、受け部材の側面片に形成する折返部の構造は、側面片の下端をヘミング加工により、側面片の下端を折り畳むように折り返した構造でもよい。
【０１６８】
以下、本発明の受け部材の他の例２として、受け部材の側面片の下端に下端のヘミング加工により折返部を形成したものを説明する。
【０１６９】
図２２は、本発明の受け部材の他の例２を説明するための図であり、図２２（ａ）は、受け部材を示す斜視図、図２２（ｂ）〜図２２（ｅ）はそれぞれ、図２２（ａ）のＢ２方向〜Ｅ２方向から見た受け部材の構造を示す平面図、図２２（ｆ）は、図２２（ｃ）のＣ部分の拡大図である。
【０１７０】
図２２に示す受け部材１０３は、実施形態１の受け部材１００において、一対の側面片１２０ａおよび１２０ｂに代わる一対の側面片１２０ｇおよび１２０ｈを備えたものである。
【０１７１】
ここで、一方の側面片１２０ｇは、側面片上部１２１ｇと、側面片下部１２２ｇと、折返部１２３ｇとを有し、他方の側面片１２０ｈは、側面片上部１２１ｈと、側面片下部１２２ｈと、折返部１２３ｈとを有する。側面片上部１２１ｇおよび側面片下部１２２ｇは、実施形態１の受け部材１００における側面片上部１２１ａおよび側面片下部１２２ａと同一のものである。側面片上部１２１ｈおよび側面片下部１２２ｈは、実施形態１の受け部材１００における側面片上部１２１ｂおよび側面片下部１２２ｂと同一のものである。ここで、折返部１２３ｇ、１２３ｈは側面片１２０ｇ、１２０ｈの下端に設けられている。折返部１２３ｇ、１２３ｈは、側面片１２０ｇ、１２０ｈの表面を流下する水Ｗが下端の先端１２２ｇ１、１２２ｈ１へ到達するのを回避するための部分である。
【０１７２】
図２２に示す受け部材１０３は、折返部１２３ｇ、１２３ｈの構造が図２１に示す受け部材１０２のものとは異なっており、その他の点は、図２１に示す受け部材１０２と同一である。
【０１７３】
具体的には、受け部材１０３の側面片１２０ｇ、１２０ｈの下端に設けられている折返部１２３ｇ、１２３ｈは、受け部材１００（実施形態１）の側面片１２０ａ、１２０ｂの下端を延長し、延長した部分を図２２（ｃ）のＣ部分に示すようにヘミング加工により折り畳むように１８０度折り返すことにより形成した部分である。側面片１２０ｇ、１２０ｈの下端の先端１２２ｇ１、１２２ｈ１は、折返部１２３ｇ、１２３ｈの最も低い部位１２３ｇ１、１２３ｈ１よりもＸ２だけ高い位置に位置している。
【０１７４】
このような構成の受け部材１０３では、図２１に示す受け部材１０２と同様、実施形態１の受け部材１００の構成に加えて、側面片１２０ｇ、１２０ｈの下端には、側面片１２０ｇ、１２０ｈの表面を流下する水Ｗが下端の先端１２２ｇ１、１２２ｈ１へ到達するのを回避するための折返部１２３ｇ、１２３ｈが設けられているので、実施形態１の効果に加えて、受け部材１０３が、プレス加工による切断面となる側面片１２０ｇ、１２０ｈの下端の先端１２２ｇ１、１２２ｈ１に金属材料が露出した構造となっていても、側面片１２０ｇ、１２０ｈの下端の先端１２２ｇ１、１２２ｈ１に雨水などの水が到達するのを回避でき、先端１２２ｇ１、１２２ｈ１の水による腐食を抑制することができるという効果が得られる。その結果、受け部材１０３でも、受け部材１０２に折返部１２３ｅ、１２３ｆが設けられていることにより得られる効果と同様、折返部が設けられていない場合に生じてしまう受け部材の下側に位置する部材への上記弊害も回避できる。
【０１７５】
なお、図２１および図２２ではそれぞれ、受け部材のその他の例として、実施形態１の受け部材における側面片の下端に、側面片の表面を流下する水が下端の先端へ到達するのを回避するための折返部を設けたものを示したが、このような折返部を適用する対象となる受け部材は、実施形態１の受け部材に限定されず、図１２に示す実施形態１の変形例による受け部材あるいは図１６に示す実施形態２の受け部材でもよい。
【０１７６】
例えば、図２１（ｃ）のＢ部分に示すようにカールした構造の折返部１２３ｅ、１２３ｆを図１２に示す受け部材１０１（実施形態１の変形例）に適用すると、受け部材１０１は、受け部材１０１の側面片１２０ｄ、１２０ｃの下端に折返部１２３ｅ、１２３ｆが設けられた構造となる。この場合、具体的には、受け部材１０１では、側面片１２０ｄは、側面片上部１２１ｄ、側面片下部１２２ｄおよび下端部１２３ｄに加えて、下端部１２３ｄの下端縁に形成された折返部１２３ｅを有する構造となる。側面片１２０ｃは、側面片上部１２１ｃ、側面片下部１２２ｃ、および下端部１２３ｃに加えて、下端部１２３ｃの下端縁に形成された折返部１２３ｆを有する構造となる。
【０１７７】
また、図２２（ｃ）のＣ部分に示すように折り返した構造の折返部１２３ｇ、１２３ｈを図１２に示す受け部材１０１（実施形態１の変形例）に適用すると、受け部材１０１は、受け部材１０１の側面片１２０ｄ、１２０ｃの下端に折返部１２３ｇ、１２３ｈが形成された構造となる。この場合、具体的には、受け部材１０１では、側面片１２０ｄは、側面片上部１２１ｄ、側面片下部１２２ｄおよび下端部１２３ｄに加えて、下端部１２３ｄの下端縁に設けられた折返部１２３ｇを有する構造となる。側面片１２０ｃは、側面片上部１２１ｃ、側面片下部１２２ｃ、および下端部１２３ｃに加えて、下端部１２３ｃの下端縁に設けられた折返部１２３ｈを有する構造となる。
【０１７８】
さらに、図２１（ｃ）のＢ部分に示すカールした構造の折返部１２３ｅ、１２３ｆあるいは図２２（ｃ）のＣ部分に示す折り返した構造の折返部１２３ｇ、１２３ｈを図１６に示す受け部材２００に適用することもできる。このようなカールした構造の折返部あるいは折り返した構造の折返部を適用した受け部材２００は、具体的には、カールした構造の折返部あるいは折り返した構造の折返部が、第１の側面片２２０ａ、第２の側面片２２０ｂ、第３の側面片２２０ｃおよび第４の側面片２２０ｄの少なくとも１つの側面片の下端に形成されたものとなる。この場合、第１の側面片２２０ａは、側面片上部２２１ａおよび側面片下部２２２ａに加えて、側面片下部２２２ａの下端縁に形成されたカールした構造の折返部あるいは折り返した構造の折返部を有するものとなる。
【０１７９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１８０】
本発明は、屋根に太陽光パネルやアンテナなどの設備を取り付けるための取付器具にこの設備を受けるよう装着される受け部材の分野において、屋根に設備を取り付けるための取付器具の水除けとして機能し、しかも、水の回り込みや水しぶきの飛散となどによって取付器具に水がかかるのを抑制することができ、しかも取付器具に対する回転を防止することができる受け部材を提供するものとして有用である。
【符号の説明】
【０１８１】
Ｒ      ハゼ式折板屋根
Ｓ      太陽光パネル
Ｓｐｆ  太陽光パネルのフレーム
１０    取付器具
１００、１０１、１０２、１０３、２００    受け部材
１１０、２１０  上面壁
１２０ａ、１２０ｂ、１２０ｃ、１２０ｄ、１２０ｅ、１２０ｆ、１２０ｇ、１２０ｈ、２２０ａ  側面片
１２１ａ、１２１ｂ、１２１ｃ、１２１ｄ、１２１ｅ、１２１ｆ、１２１ｇ、１２１ｈ、２２１ａ  側面片上部
１２２ａ、１２２ｂ、１２２ｃ、１２２ｄ、１２２ｅ、１２２ｆ、１２２ｇ、１２２ｈ、２２２ａ  側面片下部
１２２ｅ１、１２２ｆ１、１２２ｇ１、１２２ｈ１  側面片の下端の先端
１２３ｃ、１２３ｄ  下端部
１２３ｅ、１２３ｆ、１２３ｇ、１２３ｈ  折返部
１２３ｅ１、１２３ｆ１、１２３ｇ１、１２３ｈ１  最も低い部位
【図１】
0006284053.tif 000002
【図２】
0006284053.tif 000003
【図３】
0006284053.tif 000004
【図４】
0006284053.tif 000005
【図５】
0006284053.tif 000006
【図６】
0006284053.tif 000007
【図７】
0006284053.tif 000008
【図８】
0006284053.tif 000009
【図９】
0006284053.tif 000010
【図１０】
0006284053.tif 000011
【図１１】
0006284053.tif 000012
【図１２】
0006284053.tif 000013
【図１３】
0006284053.tif 000014
【図１４】
0006284053.tif 000015
【図１５】
0006284053.tif 000016
【図１６】
0006284053.tif 000017
【図１７】
0006284053.tif 000018
【図１８】
0006284053.tif 000019
【図１９】
0006284053.tif 000020
【図２０】
0006284053.tif 000021
【図２１】
0006284053.tif 000022
【図２２】
0006284053.tif 000023